(57)【要約】      （修正有）【課題】フットカバーを陳列するトルソーにおいて、履き位置がずれたり脱げたりすることが少ないことを容易に実感することのできるフットトルソーを提供する。【解決手段】フットトルソー１００は、平面状の紙が立体的に組み立てられており、人の足先から踵または足首までの側面を模した左側面１１０および右側面１２０と、それらを略平行に連結する連結面（足甲側の連結面１３０と、垂直方向連結面と、水平方向第１連結面および水平方向第２連結面）とで構成される足模型が台紙２００に貼り付けられ、フットカバーＦＣが被せられる。この足模型の足裏側の土踏まず近傍には、足裏側から足甲側へ向けた円弧形状の切欠部１６０が設けられ、この切欠部１６０のフットカバーＦＣの足裏部の生地を購入検討者が容易に摘んで引っ張ることができる。【選択図】図２
0003200905.tif 000002
【実用新案登録請求の範囲】
【請求項１】
少なくとも足裏を被覆する足装着具を陳列するためのフットトルソーであって、
人の足先から踵または足首までの足を模した立体的な足模型を備え、
前記足模型の足裏側の土踏まず近傍に、足裏側から足甲側へ向けた切欠部が設けられた、フットトルソー。
【考案の詳細な説明】
【技術分野】
【０００１】
本考案は、着用するとパンプス（履き口である甲部分が大きく開いている主として婦人用の靴）の靴の内側に隠れて見えなくなるフットカバーを含む靴下類の足装着具（少なくとも足裏を被覆する足装着具）の展示、販売、販売促進等のために店頭で陳列するフットトルソーに関し、特に、フットカバー等の購入検討者が歩行等の動作によっても履き位置がずれたり脱げたりすることが少ないことを容易に実感することのできるフットトルソーに関する。
【０００２】
なお、本考案に係るフットトルソーの主たる対象はフットカバーであるが、少なくとも足裏を被覆する足装着具であればよく靴下類を含み得る。また、本考案の説明においては、このような足装着具を代表させてフットカバーを記載するが、このフットカバーは、ソックスカバー、インナーソックス、ヌードソックス、カバーソックス等と記載される場合もある。
【背景技術】
【０００３】
素足にパンプス等の靴を履くことが、ファッションとして定着している。この場合、パンプスと足裏とが直接接していると、足に発生した汗により靴の中が蒸れてしまい不快感がある。
そこで、爪先と踵を含む足底とを被覆するとともに足甲および足首を露出するフットカバーであって、着用時にパンプスから露出することのないよう履き口が大きくカットされた薄手のフットカバーが提案されている。このフットカバーを着用してパンプスを履けば、外観上、素足にパンプスを履いているように見え、足裏とパンプスとの間にはフットカバーが介しているため、汗によって靴の中が蒸れてしまうことを防止することができる。
【０００４】
このようなフットカバーはパンプスから露出しないよう履き口が大きくカットされているため、歩行中の摩擦等によって履き位置がずれたり、脱げたりすることがある。一方、履き口を小さくしてしまうとパンプスから露出してしまう。このような問題点に鑑みて様々なフットカバーが開発されて、フットカバーがパッケージに内包されて容易に開封できないように展示されて（衛生上の問題から試着を認めないため）、百貨店、洋品店、量販店等において販売されている。
【０００５】
ところで、従来から、百貨店、洋品店、量販店等において、上半身衣類および下半身衣類（タイツやパンティストッキング等の足被覆衣類およびフットカバー等の靴下類の足装着具を含む）その他の衣料品を販売するにあたっては、立体的な人体形状のマネキンにこれらの衣類を着せて陳列したり、一部の人体形状を模したトルソー（腕、顔および下半身がない上半身だけのボディトルソー、上半身がない下半身だけのレッグトルソー）に衣類を着せて陳列したりしている。
【０００６】
これらのマネキンおよびトルソーは、高価な金型を用いてプラスチック等を成型することにより立体的な人体形状を模して製造されており、高価であるという問題および使用後の廃棄処理の問題がある。また、マネキンでの陳列は、広いスペースが必要であり、売場面積の広い店舗では有効であるが、売場面積の小さい店舗ではマネキンを陳列することが難しい問題がある。この点ではマネキンよりもトルソーが好ましい。その一方、マネキンおよびボディトルソーを使用しない場合には、洋服用ハンガーに上半身衣類を掛けて販売することになるが、このような洋服用ハンガーでは膨らみが出ないため、マネキンおよびボディトルソーのように上半身衣類のシルエットを綺麗に出すことができず、見栄えが悪い問題がある。
【０００７】
このような問題に対して、実用新案登録第３１２１２５０号公報（特許文献１）は、洋服用ハンガーを用いた陳列であっても、上半身衣類服の形状を綺麗に見せることができ、不使用時でも邪魔にならない紙製の衣服陳列用ボディトルソーを開示する。
この紙製の衣服陳列用ボディトルソーは、隅部を面取りした段ボール、板紙、合成紙などの横長矩形状のシート本体、該シート本体の中央部より上方（長辺側）に偏って洋服用ハンガーの首部挿通用の透孔を設け、該透孔を挟んで長手方向（短辺側）に洋服用ハンガーの肩部支持用のコ字状長孔を設け、該コ字状長孔の側縁部を長辺方向に折り込み可能に山折り線を形成するとともに前記コ字状長孔の中心線部付近よりシート本体を二つ折りして、シート本体を前身頃部と後身頃部とに形成したことを特徴とする。
【０００８】
この紙製の衣服陳列用ボディトルソーによると、該ハンガー肩部支持片により前身頃と後身頃は外方向に押圧されスカートを開いた状態に広がるので、その状態で衣服を被せると衣服に膨らみが生じ、従来のボディトルソーと同様に立体的に見せることができるので、単に洋服用ハンガーに掛けたものに比べて宣伝効果を上げることができる。
【先行技術文献】
【特許文献】
【０００９】
【特許文献１】実用新案登録第３１２１２５０号公報
【考案の概要】
【考案が解決しようとする課題】
【００１０】
しかしながら、この特許文献１に開示された紙製の衣服陳列用ボディトルソーは、上半身衣類のみに適用できるものでしかなく、下半身用衣類（特に足装着具）に対して適用できるものではない。
さらに、下半身衣類、特にフットカバーを含む靴下類の足装着具については、従来のマネキンおよび足装着具用のトルソーを使用したとしても、さらに特許文献１に開示された紙製のトルソーで足装着具用のトルソーを実現できて使用したとしても、衛生上の問題から試着が困難で、歩行中の摩擦等によって履き位置がずれたり、脱げたりすることがあるフットカバーの場合、フットカバーの購入検討者が、履き位置がずれたり脱げたりすることが少ないことを容易に実感することができない。
【００１１】
本考案は、従来技術の上述の問題点に鑑みて開発されたものであり、その目的とするところは、フットカバーを含む靴下類の足装着具の陳列に好適に用いられ、足装着具の購入検討者が歩行等の動作によっても履き位置がずれたり脱げたりすることが少ないことを容易に実感することのできるフットトルソーを提供することを目的とする。
【課題を解決するための手段】
【００１２】
上記目的を達成するため、本考案に係るフットトルソーは以下の技術的手段を講じている。
すなわち、本考案に係るフットトルソーは、少なくとも足裏を被覆する足装着具を陳列するためのフットトルソーであって、人の足先から踵または足首までの足を模した立体的な足模型を備え、前記足模型の足裏側の土踏まず近傍に、足裏側から足甲側へ向けた切欠部が設けられたことを特徴とする。
【考案の効果】
【００１３】
本考案に係るフットトルソーによれば、フットカバーを含む靴下類の足装着具の陳列に好適に用いられ、足装着具の購入検討者が歩行等の動作によっても履き位置がずれたり脱げたりすることが少ないことを容易に実感することができる。
【図面の簡単な説明】
【００１４】
【図１】本考案の実施の形態に係るフットトルソーの全体を示す斜視図（Ａ）および全体を示す正面図（Ｂ）である。
【図２】本考案の実施の形態に係るフットトルソーの使用態様を示す斜視図（Ａ）および全体を示す正面図（Ｂ）である。
【考案を実施するための形態】
【００１５】
以下、本考案の実施の形態に係る紙製フットトルソー（以下において単にフットトルソーと記載する場合がある）１００を、図面に基づき詳しく説明する。なお、以下の説明においては、紙の素材からなる平面状のシートを立体的に組み立てたフットトルソー１００について説明するが、本考案はこれに限定されるものではなく、紙の素材を含み、プラスチックや金属等の素材からなる平面状のシートを立体的に組み立てたフットトルソーであっても構わない。さらに、後述する切欠部１６０を備えれば、平面状のシートを立体的に組み立てた本実施の形態に係るフットトルソーに本考案は限定されるものではなく、従来のプラスチック等で製造されたフットトルソーのように金型で成形されたトルソーであっても構わない。
【００１６】
図１（Ａ）に示すフットトルソー１００の全体を示す斜視図、図１（Ｂ）に示すフットトルソー１００の全体を示す正面図、図２（Ａ）に示すフットトルソー１００の使用態様を示す斜視図、および、図２（Ｂ）に示すフットトルソー１００の使用態様を示す正面図、を参照して、このフットトルソー１００について説明する。なお、本実施の形態に係るフットトルソー１００は、人の足先から踵または足首までの足を模した立体的な足模型を、スペーサ兼台紙取付部２１０を介して台紙２００に貼り付けた態様を備えるが、本考案はこの態様に限定されるものではなく、台紙２００およびスペーサ兼台紙取付部２１０を備えなくても構わない。
【００１７】
このフットトルソー１００は、少なくとも足裏を被覆する足装着具（代表的にはフットカバーＦＣ）を陳列するためのフットトルソーであって、人の足先から踵または足首までの足を模した立体的な足模型を備える。この足模型は、（分解図および展開図を示さないが）平面状のシート（ここでは紙）が立体的に組み立てられており、大きくは、人の足先から踵または足首までの側面を模した左側面１１０および右側面１２０（本実施の形態において足模型は右足も左足も同じ形状としているので左右は逆の符号でも構わない）と、それらを連結する連結面とで構成されている。より詳しくは、左側面１１０と右側面１２０とは、それらを略平行に連結する複数の連結面で連結されており、これら複数の連結面として、足甲側の連結面１３０と、垂直方向連結面１４０と、水平方向第１連結面１５０および水平方向第２連結面１５２とを備える。ここでは、人の足先から踵または足首までの足を模した立体的な足模型は、人体の片方の足における左右の非対称性を考慮しないため、左側面１１０および右側面１２０は同じ形状であって、かつ、左側面１１０と右側面１２０とが略平行に連結されているものとする。
【００１８】
なお、左側面１１０と右側面１２０とは略平行に連結されているが、略平行の範囲には、平行に連結されている態様に加えて、いずれかの方向へ向けてわずかに細くなるテーパーを備えるように連結されている態様も含む。
そして、特徴的であるのは、この足模型の足裏側の土踏まず近傍に、図１および図２に示すように、足裏側から足甲側へ向けた切欠部１６０が設けられている点である。なお、この切欠部１６０については、本実施の形態においては、左側面１１０および右側面１２０の両方の足裏側端面に足裏側から足甲側へ向けた大きな円弧状の切り欠きを設けることで実現しているが、左側面１１０および右側面１２０の少なくとも一方のみに切欠部１６０を設けるようにしても構わない。左側面１１０および右側面１２０の一方のみに切欠部１６０を設ける場合、左側面１１０および右側面１２０は切欠部１６０を備えるか備えないか以外は同じ形状となる。
【００１９】
さらに、この切欠部１６０の形状および大きさについては、上述した大きさの円弧形状に限定されるものではないが、後述する使用方法において容易にフットカバーＦＣの足裏部を、購入検討者がその指先で摘んで引っ張ることができる程度の切り欠き面積および切り欠き位置を備えれば、円弧形状にも図示した大きさにも切り欠き位置にも限定されるものではない。
【００２０】
ここで、人の足先から踵または足首までの足を模した立体的な足模型を台紙２００に貼り付ける場合には、足模型を構成する右側面１２０をスペーサ兼台紙取付部２１０を介して右側面１２０を台紙２００に貼り付けて、右側面１２０と台紙２００との間に間隙ができるように構成している。これにより、フットカバーＦＣを容易に足模型に被せることができる。
【００２１】
このような構造を備えた本実施の形態に係るフットトルソー１００の使用方法について説明する。まず、フットトルソー１００に足装着具であるフットカバーＦＣ（靴下類でも構わない）を被せる。このとき、足模型が台紙２００に貼り付けられているとしても、右側面１２０と台紙２００との間に間隙があるのでフットカバーＦＣを容易に足模型に被せることができる。フットカバーＦＣは、開口部に履き口ゴム部Ｇを備えており、この履き口ゴム部Ｇに加えてフットカバーＦＣ全体の伸縮性により、歩行等の動作によっても履き位置がずれたり脱げたりすることがないように構成されている。このような歩行等の動作によっても履き位置がずれたり脱げたりすることがないことが、フットカバーＦＣの大きな購入動機となる。
【００２２】
そして、図２に示すように、購入検討者は、フットカバーＦＣの足裏の生地を指先で摘んで引っ張って、足模型からフットカバーＦＣが履き位置がずれたり脱げたりすることがないまたは少ないことを実感する。この場合において、フットカバーＦＣの足裏の生地を指先で引っ張って際に、足模型は切欠部１６０を備えるので、容易に指先でフットカバーＦＣの足裏の生地を摘んで引っ張ることができるので、フットカバーＦＣの履き位置がずれたり脱げたりすることがないことを容易に実感することができる。
【００２３】
なお、図１（Ｂ）および図２（Ｂ）に示すように、台紙２００を備える場合には、この台紙２００に「脱げにくいフットカバー」、「生地を引っ張ってお試しください」等の文字を表示することも好ましい。
以上のようにして、本実施の形態に係るフットトルソー１００によると、フットカバーを含む靴下類の足装着具（少なくとも足裏を被覆する足装着具）の展示、販売、販売促進等のために店頭で陳列に好適に用いられ、切欠部１６０を備えるために容易に指先で足裏の生地を摘んで引っ張ることができるので、フットカバー等の購入検討者が歩行等の動作によっても履き位置がずれたり脱げたりすることが少ないことを容易に実感することができる。
【００２４】
なお、今回開示された実施の形態はすべての点で例示であって制限的なものではないと考えられるべきである。本考案の範囲は上記した説明ではなくて実用新案登録請求の範囲によって示され、実用新案登録請求の範囲と均等の意味および範囲内でのすべての変更が含まれることが意図される。
【産業上の利用可能性】
【００２５】
本考案は、フットカバーを含む靴下類の足装着具（少なくとも足裏を被覆する足装着具）の陳列に好適であり、フットカバー等の購入検討者が歩行等の動作によっても履き位置がずれたり脱げたりすることが少ないことを容易に実感することのできる陳列に特に好適である。
【符号の説明】
【００２６】
１００  フットトルソー
１１０  左側面
１２０  右側面
１３０  連結面
１４０  垂直方向連結面
１５０、１５２  水平方向連結面
１６０  切欠部
２００  台紙
２１０  スペーサ兼台紙取付部
ＦＣ  フットカバー（足装着具）
Ｇ  履き口ゴム部(フットカバーの開口部)
【図１】
0003200905.tif 000003
【図２】
0003200905.tif 000004